(57)【要約】      （修正有）【課題】ロックの安定性が強く、支持強度が高く、操作が簡便である菱形状とされる折り畳み物置きの骨組みを提供する。【解決手段】菱形状とされる折り畳み式物置きの骨組みは、左側骨組み１、右側骨組み２、折り畳み仕切り板、連動縦方向棒４、及び、ロック機構５を含み、折り畳み仕切り板の軸が左右側骨組みに接続され、連動縦方向棒は、折り畳み仕切り板における折り畳み接続箇所に設けられ、上向き又は下向きに移動するのに伴い、折り畳み仕切り板が折り畳まれ又は開き、ロック機構は、左上リンク機構、左下リンク機構、左支持機構、右上リンク機構、右下リンク機構、及び、右支持機構を含み、左支持機構、左下リンク機構、右下リンク機構、及び、右支持機構は、菱形状とされる伸縮可能骨組みを形成し、左上リンク機構と右上リンク機構とは、伸縮可能骨組みの左右接続箇所にヒンジ接続される。【選択図】図１
0003234052.tif 000002
【実用新案登録請求の範囲】
【請求項１】
左側骨組み、右側骨組み、折り畳み仕切り板、連動縦方向棒、及び、ロック機構を含み、
前記折り畳み仕切り板は、左右両端軸が左側骨組みと右側骨組みとに接続され、
前記連動縦方向棒は、折り畳み仕切り板における折り畳み接続箇所に設けられると共に、上向き又は下向きに移動するのに伴い、折り畳み仕切り板が同期に上向きに折り畳まれ、又は、下向きに水平に開き、
前記ロック機構は、左上リンク機構、左下リンク機構、左支持機構、右上リンク機構、右下リンク機構、及び、右支持機構を含み、
前記左支持機構、左下リンク機構、右下リンク機構、及び、右支持機構は、菱形状とされる伸縮可能骨組みを形成するように首尾で接続され、
前記左上リンク機構は、一端が菱形状とされる伸縮可能骨組みの左接続箇所にヒンジ接続され、他端が左側骨組みにヒンジ接続され、
前記右上リンク機構は、一端が菱形状とされる伸縮可能骨組みの右接続箇所にヒンジ接続され、他端が右側骨組みヒンジ接続され、
前記連動縦方向棒には、長尺状滑り溝が開設されており、菱形状とされる伸縮可能骨組みは、上接続箇所が連動縦方向棒を長尺状滑り溝の長尺方向に沿って上下に滑り、下接続箇所が連動縦方向棒の底部に位置付けられ、
左支持機構と右支持機構は、菱形状とされる伸縮可能骨組みが下へ押されると、折り畳み物置きの骨組みをロックするように、それぞれ対応して、左上リンク機構と左下リンク機構、及び、右上リンク機構と右下リンク機構をまっすぐに支える
ことを特徴とする、菱形状とされる折り畳み物置きの骨組み。
【請求項２】
前記菱形状とされる伸縮可能骨組みは、上接続箇所に提手係合具が設けられ、前記提手係合具は、側部に突出舌部が設けられ、前記突出舌部は、連動縦方向棒を、長尺状滑り溝の長尺方向に上下に滑る、
ことを特徴とする、請求項１に記載の菱形状とされる折り畳み物置きの骨組み。
【請求項３】
前記折り畳み仕切り板は、左側方仕切り板、及び、右側方仕切り板を含み、
左側方仕切り板及び右側方仕切り板は、互いに近接する一側に、嵌合し合う第一接続部及び第二接続部が設けられ、第一接続部及び第二接続部は、ピンを介して接続され、
折り畳み仕切り板が開いている場合には、左側方仕切り板と右側方仕切り板とが水平に開くように、第一接続部が第二接続部に当接する
ことを特徴とする、請求項１に記載の菱形状とされる折り畳み物置きの骨組み。
【請求項４】
前記連動縦方向棒は、ピンを介して、折り畳み仕切り板における折り畳み接続箇所に取り付けられる、
ことを特徴とする、請求項１に記載の菱形状とされる折り畳み物置きの骨組み。
【請求項５】
前記左側骨組みと前記右側骨組みは、先端部に反転仕切り板が設けられる、
ことを特徴とする、請求項１に記載の菱形状とされる折り畳み物置きの骨組み。
【請求項６】
前記反転仕切り板は、一側が左側骨組みにヒンジ接続され、他側がロック係合具を介して右側骨組みに固定される、
ことを特徴とする、請求項５に記載の菱形状とされる折り畳み物置きの骨組み。
【請求項７】
前記ロック係合具は、右側骨組みに設置される押し弾きボール及び反転仕切り板の一側に設置されるロックシートを含み、前記ロックシートに穴が開設されており、前記押し弾きボールは、反転仕切り板を右側骨組みの先端部に固定するように、ロックシートにおける穴に入る、
ことを特徴とする、請求項６に記載の菱形状とされる折り畳み物置きの骨組み。
【請求項８】
前記押し弾きボールには、Ｕ型弾性片が接続されている、
ことを特徴とする、請求項７に記載の菱形状とされる折り畳み物置きの骨組み。
【請求項９】
前記左側骨組みと前記右側骨組みは、底部にトロリーホイールが設けられる、
ことを特徴とする、請求項１に記載の菱形状とされる折り畳み物置きの骨組み。
【考案の詳細な説明】
【技術分野】
【０００１】
本考案は、物置きの骨組みという技術分野に関し、特に、菱形状とされる折り畳み式物置きの骨組みに関する。
【背景技術】
【０００２】
現在、特許文献１という中国実用新案は、四つの階層とされ、一瞬で収納可能であり、構成が安定である折り畳み骨組みを提供している。これは、骨組み主体及び骨組み主体に位置する折り畳み網及び天井網を含む。前記骨組み主体は、四本の主骨組みにより骨組みを形成してから、二本の主骨組み間に、かつ、支骨組みに平行するように、折り畳み網を支持するための縦方向支持棒を設置する。前記頂網は、前記骨組み主体の天井階層に位置しており、前記折り畳み網は、三つの階層とされ前記骨組み主体の中下階層に位置する。それは、中心軸を中心に対称にして折り畳まれる。そして、骨組み主体は、全体として、物を置くための負荷網が四つの階層だけ設置される。前記縦方向支持棒は、三つの階層である前記折り畳み網同士に支持される。その先端部は、滑りブロックを介して、二本の側方支持機構に可動接続される。二本の側方支持機構は、底部に、それぞれ、主骨組みに固定して接続される。そうすると、前記縦方向支持棒により、前記折り畳み網による支持の具合を一層に高めるように役立つ。このような構成が安定である折り畳み骨組みは、収納の能力が強いと共に、使用のために組み立ても必要とならず、収縮して折り畳むことが一瞬だけで済み、占める空間が小さいなどの利点を有している。
【先行技術文献】
【特許文献】
【０００３】
【特許文献１】中国実用新案ＣＮ２０１５２００４８７５７．８
【考案の概要】
【考案が解決しようとする課題】
【０００４】
しかしながら、上記の構成とされる折り畳み骨組みは、以下の欠陥が存在している。
縦方向支持棒は、三つの階層である前記折り畳み網間に支持されるが、支持という役割が図られる。しかし、折り畳み骨組みを折り畳ませ又は開ける時には、単純に滑りブロックにより、二本の側方支持機構が対称中心へ折り畳み又は外向きに開くように連動することから、複数の折り畳み骨組みが同期に折り畳み又は開くことが難しく、操作が面倒であり、構成の安定性が悪い。
【課題を解決するための手段】
【０００５】
本考案は、従来技術の不足を克服すべく、連動縦方向棒とロック機構とを組み合わせる構成により、支持強度が大幅に高まり、倒れを防止する効果が効果的に実現され、ロックの安定性が強い。しかも、連動縦方向棒が上向き又は下向きに移動するのに伴い、連動ロック機構が内向きに閉まり又は外向きに開くことから、複数の折り畳み仕切り板が同期に内向きに折り畳み又は外向きに開くことが実現され、操作が簡便であり、運行が円滑に安定である、菱形状とされる折り畳み式物置きの骨組みを提供することを目的とする。
【０００６】
本考案は、その目的が以下の技術的手段により実現される。
【０００７】
菱形状とされる折り畳み式物置きの骨組みは、左側骨組み、右側骨組み、折り畳み仕切り板、連動縦方向棒、及び、ロック機構を含み、前記折り畳み仕切り板は、左右両端軸が左側骨組みと右側骨組みとに接続され、前記連動縦方向棒は、折り畳み仕切り板における折り畳み接続箇所に設けられると共に、上向き又は下向きに移動するのに伴い、折り畳み仕切り板が同期に上向きに折り畳まれ、又は、下向きに水平に開き、前記ロック機構は、左上リンク機構、左下リンク機構、左支持機構、右上リンク機構、右下リンク機構、及び、右支持機構を含み、前記左支持機構、左下リンク機構、右下リンク機構、及び、右支持機構は、菱形状とされる伸縮可能骨組みを形成するように首尾で接続され、前記左上リンク機構は、一端が菱形状とされる伸縮可能骨組みの左接続箇所にヒンジ接続され、他端が左側骨組みにヒンジ接続され、前記右上リンク機構は、一端が菱形状とされる伸縮可能骨組みの右接続箇所にヒンジ接続され、他端が右側骨組みヒンジ接続され、前記連動縦方向棒には、長尺状滑り溝が開設されており、菱形状とされる伸縮可能骨組みは、上接続箇所が連動縦方向棒を長尺状滑り溝の長尺方向に沿って上下に滑り、下接続箇所が連動縦方向棒の底部に位置付けられ、左支持機構と右支持機構は、菱形状とされる伸縮可能骨組みが下へ押されると、折り畳み物置きの骨組みをロックするように、それぞれ対応して、左上リンク機構と左下リンク機構、及び、右上リンク機構と右下リンク機構をまっすぐに支える。
【０００８】
好ましくは、前記菱形状とされる伸縮可能骨組みは、上接続箇所に提手係合具が設けられ、前記提手係合具は、側部に突出舌部が設けられ、前記突出舌部は、連動縦方向棒を、長尺状滑り溝の長尺方向に上下に滑る。
【０００９】
好ましくは、前記折り畳み仕切り板は、左側方仕切り板、及び、右側方仕切り板を含み、左側方仕切り板及び右側方仕切り板は、互いに近接する一側に、嵌合し合う第一接続部及び第二接続部が設けられ、第一接続部及び第二接続部は、ピンを介して接続され、折り畳み仕切り板が開いている場合には、左側方仕切り板と右側方仕切り板とが水平に開くように、第一接続部が第二接続部に当接する。
【００１０】
好ましくは、前記連動縦方向棒は、ピンを介して、折り畳み仕切り板における折り畳み接続箇所に取り付けられる。
【００１１】
好ましくは、前記左側骨組みと前記右側骨組みは、先端部に反転仕切り板が設けられる。
【００１２】
好ましくは、前記反転仕切り板は、一側が左側骨組みにヒンジ接続され、他側がロック係合具を介して右側骨組みに固定される。
【００１３】
好ましくは、前記ロック係合具は、右側骨組みに設置される押し弾きボール及び反転仕切り板の一側に設置されるロックシートを含み、前記ロックシートに穴が開設されており、前記押し弾きボールは、反転仕切り板を右側骨組みの先端部に固定するように、ロックシートにおける穴に入る。
【００１４】
好ましくは、前記 押し弾きボールには、Ｕ型弾性片が接続されている。
【００１５】
好ましくは、前記左側骨組みと前記右側骨組みは、底部にトロリーホイールが設けられる。
【考案の効果】
【００１６】
本考案は、従来技術に比べると、その有益な効果は、以下の通りである。
連動縦方向棒とロック機構とを組み合わせる構成により、支持強度が大幅に高まり、倒れを防止する効果が効果的に実現され、ロックの安定性が強い。しかも、連動縦方向棒が上向き又は下向きに移動するのに伴い、連動ロック機構が内向きに閉まり又は外向きに開くことから、複数の折り畳み仕切り板が同期に内向き折り畳み又は外向き開くことが実現され、操作が簡便であり、運行が円滑に安定である。
また、本考案は、菱形状とされる伸縮可能骨組みを下方へ押すことにより、ロック機構が外向きに完全に開くようにする。この場合に、左支持機構は、左上リンク機構と左下リンク機構とをまっすぐに支えることにより、左側骨組み、底部折り畳み仕切り板、及び、左上リンク機構と、左下リンク機構とを引く線が、安定的な三角形の構成を囲んで形成する。また、右支持機構は、右上リンク機構と右下リンク機構をまっすぐ支えることにより、右側骨組み、底部折り畳み仕切り板及び右上リンク機構と、右下リンク機構とを引く線が、三者で安定的な三角形を囲んで形成する。折り畳み物置きの骨組みは、全体として、完全にロックされ得る。なお、物置きの骨組みには、負荷物が置かれるとロックという目的が実現され、所定の負荷範囲に、負荷が重いほど、ロックの効果が良くなる。
【図面の簡単な説明】
【００１７】
【図１】本考案における好ましい実施例１に係る三つの階層であり菱形状とされる折り畳み物置きの骨組みの構成の模式図である。
【図２】図１におけるＡ領域を拡大した構成の模式図である。
【図３】本考案における好ましい実施例１に係る三つの階層であり菱形状とされる折り畳み物置きの骨組みの背面図である。
【図４】本考案における好ましい実施例に係るロック機構の構成の模式図である。
【図５】図４におけるＢ領域を拡大した構成の模式図である。
【図６】本考案における好ましい実施例１に係る三つの階層であり菱形状とされる折り畳み物置きの骨組みの折り畳み状態模式図である。
【図７】本考案における好ましい実施例２に係る四つの階層であり菱形状とされる折り畳み物置きの骨組みの構成の模式図である。
【図８】本考案における好ましい実施例に係るロック係合具の構成の模式図である。
【図９】本考案における好ましい実施例２に係る四つの階層であり菱形状とされる折り畳み物置きの骨組みの折り畳み状態の模式図である。
【図１０】本考案における好ましい実施例３に係る五つの階層であり菱形状とされる折り畳み物置きの骨組みの構成の模式図である。
【図１１】本考案における好ましい実施例３に係る五つの階層であり菱形状とされる折り畳み物置きの骨組みの折り畳み状態の模式図である。
【考案を実施するための形態】
【００１８】
以下には、図面と具体的な実施形態に基づいて、本考案を詳しく説明するが、説明すべきところは、矛盾がない限り、以下に説明する各実施例、又は、各技術的特徴を任意に組み合わせて新たな実施例を取得することが可能である。
【００１９】
実施例１に係る三つの階層であり菱形状とされる折り畳み物置きの骨組み
図１乃至図６に示すように、菱形状とされる折り畳み式物置きの骨組みは、左側骨組み１、右側骨組み２、折り畳み仕切り板３、連動縦方向棒４、及び、ロック機構５を含み、前記折り畳み仕切り板は、左右両端軸が左側骨組みと右側骨組みとに接続され、前記連動縦方向棒は、折り畳み仕切り板における折り畳み接続箇所に設けられると共に、上向き又は下向きに移動するのに伴い、折り畳み仕切り板が同期に上向きに折り畳み又は下向きに水平に開くように連動する。前記ロック機構は、左上リンク機構５１、左下リンク機構５２、左支持機構５３、右上リンク機構５４、右下リンク機構５５、及び、右支持機構５６を含む。前記左支持機構、左下リンク機構、右下リンク機構、及び、右支持機構は、菱形状とされる伸縮可能骨組みを形成するように首尾で接続される。前記左上リンク機構は、一端が菱形状とされる伸縮可能骨組みの左接続箇所にヒンジ接続され、他端が左側骨組みにヒンジ接続される。前記右上リンク機構は、一端が菱形状とされる伸縮可能骨組みの右接続箇所にヒンジ接続され、他端が右側骨組みにヒンジ接続される。前記連動縦方向棒には、長尺状滑り溝４１が設けられる。菱形状とされる伸縮可能骨組みにおける上接続箇所は、連動縦方向棒を長尺状滑り溝の長尺方向に沿って上下に滑る。菱形状とされる伸縮可能骨組みにおける下接続箇所は、連動縦方向棒の底部に位置付けられる。菱形状とされる伸縮可能骨組みが下へ押される場合には、左支持機構と右支持機構とが、それぞれ、対応して、折り畳み物置きの骨組みをロックするように、左上リンク機構、左下リンク機構、右上リンク機構、及び、右下リンク機構をまっすぐ支える。
【００２０】
本考案に係る折り畳み物置きの骨組みは、連動縦方向棒とロック機構とを組み合わせる構成により、支持強度が大幅に高まり、倒れを防止する効果が効果的に実現され、ロックの安定性が強い。しかも、連動縦方向棒が上向き又は下向きに移動するのに伴い、連動ロック機構が内向きに閉まり又は外向きに開くことから、複数の折り畳み仕切り板が同期に内向き折り畳み又は外向き開くことが実現され、操作が簡便であり、運行が円滑に安定である。
【００２１】
本考案では、菱形状とされる伸縮可能骨組みを下へ押すことにより、ロック機構を外向きに完全に開けて、この時、左支持機構は、左上リンク機構と左下リンク機構とをまっすぐ支え、ひいては、左側骨組み、底部折り畳み仕切り板及び左上リンク機構と、左下リンク機構とを引く線が三者で安定的な三角形の構成を囲んで形成する。また、右支持機構は、右上リンク機構と右下リンク機構とをまっすぐ支え、ひいては、右側骨組み、底部折り畳み仕切り板及び右上リンク機構と、右下リンク機構とが引く線を三者で、安定的な三角形の構成を囲んで形成する。そして、折り畳み物置きの骨組みは、全体として、完全にロックされ得る。なお、物置きの骨組みには、負荷物が置かれるとロックという目的が実現され、所定の負荷範囲に、負荷が重いほど、ロックの効果が良くなる。
【００２２】
更なる好ましい手段としては、前記菱形状とされる伸縮可能骨組みは、上接続箇所に、提手係合具５７が設けられる。前記提手係合具は、突出舌部５７１が側部に設けられる。前記突出舌部は、連動縦方向棒を長尺状滑り溝の長尺方向に沿って上下に滑る。突出舌部という設計は、提手係合具が回転するのを防ぐように、提手係合具による移動の軌跡を限定することを目的とする。提手係合具という設計は、利用者が菱形状とされる伸縮可能骨組みを簡便に持ち上がり、菱形状とされる伸縮可能骨組みが同期に収縮されるように役立つ。また、菱形状とされる伸縮可能骨組みを収縮させる際には、手をはさまれるのを防ぎ、人間本位となる設計である。
【００２３】
更なる好ましい手段としては、前記折り畳み仕切り板３は、左側方仕切り板３１及び右側方仕切り板３２を含み、左側方仕切り板及び右側方仕切り板が互いに隣接する一側には、嵌合し合う第一接続部３３及び第二接続部３４が設けられる。第一接続部と第二接続部は、ピン３５を介して接続される。折り畳み仕切り板を開ける時に、第一接続部が第二接続部に当接して、左側方仕切り板と右側方仕切り板とが水平に開くようにする。第一接続部と第二接続部とを設計するのは、左側方仕切り板及び右側方仕切り板が開いている時に、接続が一層に安定となる。前記連動縦方向棒は、ピンを介して、折り畳み仕切り板における折り畳み接続箇所に取り付けられる。
【００２４】
更なる好ましい手段としては、前記左側骨組みと前記右側骨組みは、トロリーホイール８が底部に設けられる。トロリーホイールを設計するのは、物置きの骨組みを便宜に移動させ、物置きの骨組みの機能を高めることができる。
【００２５】
実施例２に係る四つの階層であり菱形状とされる折り畳み物置きの骨組み
図１乃至図９ように、実施例２に係る菱形状とされる折り畳み物置きの骨組みは、実施例１に係る菱形状とされる折り畳み物置きの骨組みに比べると、前記左側骨組みと右側骨組みとの先端部に設置される反転仕切り板６をさらに含む。図７乃至図９に示すように、反転仕切り板整板を設計することは、四つの階層であり菱形状とされる折り畳み物置きの骨組みの剛性が高まると共に、物置きの空間が広がり、使用率が高くなる。
【００２６】
更なる好ましい手段としては、前記反転仕切り板は、一側が左側骨組みにヒンジ接続され、他側がロック係合具７を介して、右側骨組みに固定される。具体的には、前記ロック係合具に、右側骨組みに設置される押し弾きボール７１及び反転仕切り板の一側に設置されるロックシート７２を含み、前記押し弾きボールにＵ型弾性片７３が接続され、前記ロックシートに穴が設けられ、前記押し弾きボールは、反転仕切り板を右側骨組み先端部に固定するように、ロックシートの穴に入る。ロック係合具を設計することは、折り畳み物置きの骨組みにおける反転仕切り板の位置をロックして、反転仕切り板の移動を防止することができる。また、本考案に係るロック係合具は、アンロックの動作が簡便であり、Ｕ型弾性片が収縮されるように押して、押し弾きボールをロックシートの穴から離させると、アンロックができる。同様に、ロックという動作も極めて簡便である。当該構成は、着脱が簡便であり、急速で着脱が実現可能である。
【００２７】
実施例３に係る五つの階層であり菱形状とされる折り畳み物置きの骨組み
図１乃至１１に示すように、実施例３に係る菱形状とされる折り畳み物置きの骨組みは、実施例１に係る菱形状とされる折り畳み物置きの骨組みに比べると、相違点が二つ存在している。一番目の相違点は、折り畳み仕切り板が五つの階層とされ、連動縦方向棒とロック機構とを組み合わせる構成が、底部から四番目の階層折り畳み仕切り板に取り付けられるということにある。二番目の相違点は、前記左側骨組みと右側骨組みとの先端部に設置される反転仕切り板６をさらに含むということにある。
【００２８】
そのうち、本実施例１乃至３では、菱形状とされる伸縮可能骨組みには、左上リンク機構、左下リンク機構、右上リンク機構、及び、右下リンク機構が首尾で接続され、折り畳み仕切り板と左右側骨組みとの可動接続、連動縦方向棒と折り畳み仕切り板との接続、反転仕切り板と側骨組みとの接続は、いずれも、ピンを介して行われ、可動接続が実現され、ひいては、物置きの骨組みの折り畳みを収納したり、開いて物を置く機能を実現したりすることが可能となる。
【００２９】
上記の実施形態は、本考案における好ましい実施形態に過ぎず、本考案に係る保護の範囲を限定するものではない。当業者が本考案に基づいてなされる如何なる非実質的な変形や置換は、いずれも、本考案の保護しようとする範囲に含まれる。
【符号の説明】
【００３０】
１    左側骨組み
２    右側骨組み
３    折り畳み仕切り板
３１    左側方仕切り板
３２    右側方仕切り板
３３    第一接続部
３４    第二接続部
３５    ピン
４    連動縦方向棒
４１    長尺状滑り溝
５    ロック機構
５１    左上リンク機構
５２    左下リンク機構
５３    左支持機構
５４    右上リンク機構
５５    右下リンク機構
５６    右支持機構
５７    提手係合具
５７１    突出舌部
６    反転仕切り板
７    ロック係合具
７１     押し弾きボール
７２    ロックシート
７３    Ｕ型弾性片
８    トロリーホイール
【図１】
0003234052.tif 000003
【図２】
0003234052.tif 000004
【図３】
0003234052.tif 000005
【図４】
0003234052.tif 000006
【図５】
0003234052.tif 000007
【図６】
0003234052.tif 000008
【図７】
0003234052.tif 000009
【図８】
0003234052.tif 000010
【図９】
0003234052.tif 000011
【図１０】
0003234052.tif 000012
【図１１】
0003234052.tif 000013